(57)【要約】  【課題】  画像の表示手段を備えた機器における機器設定情報をごく簡易な操作で即座に表示させることができるとともに，機器設定情報の設定内容が基準値から変更されているか否かを容易にチェックできること。  【解決手段】  リモコンに対する１タッチ（１回）の操作入力に応じて（Ｓ１），テレビジョン受像機Ｘに対する複数の設定情報をそのモニタ画面に表示させる場合に，表示させるべき全ての設定情報をモニタ画面に一覧表示させる（Ｓ２）。そのとき，設定情報各々について，その設定内容が対応する基準値と同じものと異なるものとで一覧表示する際の表示態様が異なるものとなるよう制御する（Ｓ２−１〜Ｓ２−５）。【選択図】図４
2006252293.tif 000002
【特許請求の範囲】
【請求項１】
画像の表示手段を備えた機器に対する複数の設定情報を前記表示手段に表示させる機器設定情報表示制御装置であって，
前記設定情報の一部若しくは全部について予め定められた基準値を記憶する基準値記憶手段と，
表示させるべき全ての前記設定情報を前記表示手段に一覧表示させる一覧表示制御手段と，
前記設定情報各々についてその設定内容が対応する前記基準値と同じものと異なるものとで前記一覧表示制御手段による表示態様を異ならせる表示態様制御手段と，
を具備してなることを特徴とする機器設定情報表示制御装置。
【請求項２】
前記一覧表示制御手段が，１タッチの操作入力に応じて前記設定情報を一覧表示させてなる請求項１に記載の機器設定情報表示制御装置。
【請求項３】
前記一覧表示制御手段が，前記設定情報を予め定められた階層的な分類に従ってツリー形式で前記表示手段に一覧表示させてなる請求項１又は２のいずれかに記載の機器設定情報表示制御装置。
【請求項４】
操作入力に従って前記表示手段に一覧表示された前記設定情報のいずれかを選択する設定情報選択手段と，
前記設定情報選択手段により選択された前記設定情報の説明情報を前記表示手段へ出力及び／又は所定の音声出力手段へ音声出力させる説明情報出力手段と，
を具備してなる請求項１〜３のいずれかに記載の機器設定情報表示制御装置。
【請求項５】
操作入力に従って前記表示手段に一覧表示された前記設定情報のいずれかを選択する設定情報選択手段と，
前記設定情報選択手段により選択された前記設定情報を前記表示手段に強調表示させる強調表示制御手段と，
を具備してなる請求項１〜４のいずれかに記載の機器設定情報表示制御装置。
【請求項６】
画像の表示手段を具備する表示装置であって，
前記表示手段に当該表示装置に対する設定情報を一覧表示させる請求項１〜５のいずれかに記載の機器設定情報表示制御装置を具備してなることを特徴とする表示装置。
【発明の詳細な説明】
【技術分野】
【０００１】
本発明は，画像の表示手段を備えた機器の設定情報をその表示手段に表示させる機器設定情報表示制御装置及びそれを具備する表示装置に関するものである。
【背景技術】
【０００２】
テレビジョン受像機やパーソナルコンピュータ等の計算機用モニタ等，画像の表示手段を備えた表示装置には，表示手段における表示の明るさや色合いに関する設定情報や，テレビ受像機におけるテレビ放送チャンネルとチャンネル番号との対応付け情報等，その表示装置（機器）に対する設定情報（以下，機器設定情報という）が記憶手段に記憶され，その機器設定情報は，いわゆるＯＳＤ（On Screen Display）機能により前記表示手段に表示されるとともに，所定の操作入力に従って変更（設定）可能に構成されている。
従来，前記機器設定情報は，関連するものどうしがまとめられて階層的に分類されており，前記機器設定情報の表示の際には，まず，その階層的分類における最も上位層の分類項目が表示され，操作入力に従っていずれかの分類項目が選択されるごとに，選択された上位層の分類項目に属する下位層の分類項目が順次表示され，最終的に選択された選択項目に対応する前記機器設定情報が表示される。
ここで，分類項目を選択させる従来の方式としては，例えば，いわゆるプルダウンのメニュー形式で順次下位層の分類項目へと選択させる方式や，特許文献１に示されるように，ツリー形式で分類項目の選択メニューを表示させ，カーソル位置に存在する選択メニューをオンスクリーンにより拡大表示させてその選択メニューから分類項目を選択させる方式等がある。
【特許文献１】特開平７−１８４２７０号公報
【発明の開示】
【発明が解決しようとする課題】
【０００３】
しかしながら，使用している表示装置についての詳しい知識がない一般利用者にとっては，階層的な分類項目を上位階層のものから下位階層のものへと順次選択して所望の前記機器設定情報を表示手段に表示させる方式では，目的とする前記機器設定情報に行き着く（表示手段に表示させる）までになすべき操作がわかり辛く，また，操作が繁雑であるという問題点があった。このため，例えば，表示装置の利用者をサポートするサービスを提供する場合等において，サービス提供者側が，その表示装置における現在の前記機器設定情報を知りたい場合には，利用者に目的とする前記機器設定情報を表示させる操作手順を教えることから始めなければならず，サービス提供の迅速性を阻害するという問題点もあった。
一方，前記機器設定情報は，出荷時に汎用性の高い適切な基準値に設定されていることが通常であるため，トラブル発生時にその基準値から変更されている前記機器設定情報の設定内容をチェックすることが迅速な対応に効果的であり，そのようなチェックを容易に行えるしくみの提供が望まれている。
従って，本発明は上記事情に鑑みてなされたものであり，その目的とするところは，画像の表示手段を備えた機器における機器設定情報をごく簡易な操作で即座に表示させることができるとともに，機器設定情報の設定内容が基準値から変更されているか否かを容易にチェックできる機器設定情報表示制御装置及びそれを具備する表示装置を提供することにある。
【課題を解決するための手段】
【０００４】
上記目的を達成するために本発明は，画像の表示手段を備えた機器に対する複数の設定情報をその表示手段に表示させる場合に，前記設定情報の一部若しくは全部について予め基準値を記憶しておき，表示させるべき全ての前記設定情報を前記表示手段に一覧表示させるとともに，前記設定情報各々についてその設定内容が対応する前記基準値と同じものと異なるものとで一覧表示する際の表示態様が異なるものとなるよう制御される機器設定情報表示制御装置，及びそれを具備する表示装置として構成されるものである。例えば，前記基準値と異なるものについて，点滅表示や色替え表示，網掛け表示，反転表示等の強調表示をさせること等が考えられる。さらに，所定の操作手段に対する１タッチ（１回）の操作入力に応じて前記設定情報を一覧表示させるものであればなお好適である。
これにより，目的とする設定情報（前記機器設定情報）を表示させるために階層的な分類項目を順次辿る（選択する）必要がなく，ごく簡易な操作で即座に全ての前記設定情報を表示手段に一覧表示させることができ，加えて，その表示態様の違いによって前記設定情報の設定内容が基準値から変更されていることを容易にチェックできる。
さらに，前記設定情報を予め定められた階層的な分類に従ってツリー形式で前記表示手段に一覧表示させれば，一覧表示された複数の前記設定情報の中から目的とする情報を特定しやすいのでなお好適である。
【０００５】
また，操作入力に従って前記表示手段に一覧表示された前記設定情報のいずれかを選択する機能を有する場合に，選択された前記設定情報の説明情報を前記表示手段へ出力させたり，所定の音声出力手段へ音声出力させたりするものや，選択された前記設定情報を前記表示手段に強調表示（拡大表示やハイライト表示等）させるもの等が考えられる。
これにより，一覧表示された複数の前記設定情報の中から特に注視したいものをよりわかりやすく，或いはより見やすくできるので好適である。
【発明の効果】
【０００６】
本発明によれば，目的とする機器設定情報を表示させるために階層的な分類項目を順次辿る（選択する）必要がなく，ごく簡易な操作で即座に全ての機器設定情報を表示手段に一覧表示させることができる。その結果，利用者の利便性が高まるとともに，利用者やサービスマンが機器設定情報を１つ１つメニュー選択により表示させながら設定値を確認する必要がなくなり，機器設定情報の設定値を確認した結果に基づいてサービスを提供する場合に迅速なサービス提供が可能となる。加えて，設定内容が基準値と同一か否かで表示態様を異ならせるので，各設定内容が基準値から変更されているか否かを容易にチェックできる。
さらに，機器設定情報を予め定められた階層的な分類に従ってツリー形式で前記表示手段に一覧表示させることや，操作入力に従って選択された機器設定情報について，それを強調表示させたり，その説明情報を出力したりすることにより，一覧表示された複数の機器設定情報の中から特に注視したいものをよりわかりやすく，或いはより見やすくできるので好適である。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る表示装置の一例であるテレビジョン受像機Ｘの概略構成を表すブロック図，図２はテレビジョン受像機Ｘにおける設定情報一覧表示画面の一例を表した図，図３はテレビジョン受像機Ｘにおける設定情報一覧表示画面において選択された設定情報が拡大表示された画面例を表した図，図４はテレビジョン受像機Ｘにおける設定情報一覧表示処理の手順を表すフローチャートである。
【０００８】
まず，図１に示すブロック図を用いて，本発明の実施形態に係る表示装置の一例であるテレビジョン受像機Ｘの構成について説明する。
図１に示すように，テレビジョン受像機Ｘは，複数のチューナ１ａ，１ｂ，１ｃと，外部入力部２と，映像切替回路３と，映像処理回路４と，ＯＳＤ処理回路５と，リモコン７と，制御回路８と，リモコンインターフェース（Ｉ／Ｆ）回路９と，モニタ画面２１と，音声切替回路１０と，音声処理回路１１と，アンプ２２と，スピーカ２３とを具備している。
前記チューナ１ａ，１ｂ，１ｃは，各々地上波放送信号（テレビ放送信号）が入力される地上波チューナ１ａ，ＢＳ衛星放送信号が入力されるＢＳチューナ１ｂ，ＣＡＴＶ放送信号が入力されるＣＡＴＶチューナ１ｃであり，入力された各放送信号から，前記制御回路８により指示される放送チャンネルの信号を抽出（選局）するとともに，その抽出信号の検波によって映像信号及び音声信号を取り出し，その映像信号及び音声信号の各々を前記映像切替回路３及び前記音声切替回路１０各々へ伝送するものである。なお，各放送信号には，複数チャンネル分の映像信号及びその映像と同期した音声信号が重畳されている。
また，前記外部入力部２は，外部からコンポジット方式の映像信号及び音声信号や，セパレート方式の映像信号及び音声信号（いわゆるＳ端子の信号）等の外部入力映像信号及び外部入力音声信号を入力し，それらを前記映像切替回路３及び前記音声切替回路１０各々へ伝送するインターフェースである。
前記映像切替回路３は，前記チューナ１ａ，１ｂ，１ｃ各々からの映像信号及び前記外部入力部２からの映像信号を入力し，それらの映像信号のうちの任意の１つの映像信号を前記制御回路８からの指示に従って選択して出力するものである。
【０００９】
前記映像処理回路４は，前記映像切替回路３から出力された映像信号に対して各種信号処理を行うものである。例えば，映像信号から水平及び垂直同期信号の分離，その同期信号に位相同期したクロック信号の生成，映像信号からの輝度信号及び色信号の分離，所定の画質改善処理等を行い，処理後の映像信号を前記ＯＳＤ処理回路５に出力する。
前記ＯＳＤ処理回路５は，前記映像処理回路４から伝送される映像信号を前記モニタ画面２１に出力することにより，前記映像処理回路４による処理後の映像信号をそのまま前記モニタ画面２１に表示させるか，その映像信号に前記制御回路８から指示された情報を表示する映像をスーパーインポーズにより重ねた（合成した）映像信号（以下，ＯＳＤ映像信号という）を生成し，そのＯＳＤ映像信号を前記モニタ画面２１に表示させるかを切り替えるものである。
【００１０】
前記モニタ画面２１は，例えば，液晶パネル及びその周辺機器等からなる表示手段であり，前記ＯＳＤ処理回路５から出力される映像信号を表示するものである。
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ｂが実行する処理によって書き込まれる設定情報を記憶するＥＥＰＲＯＭ８ｃ等を備え，当該テレビジョン受像機Ｘ全体を制御するものである。
さらに，前記ＥＥＰＲＯＭ８ｃには，テレビジョン受像機Ｘに対する複数の前記設定情報各々について，予め定められた基準値（例えば，出荷時に設定される初期値等）が記憶されている（基準値記憶手段の一例）。ここで，前記基準値は，前記設定情報の全てについて，或いは前記基準値に対する変更のチェックを必要とする主要な一部について予め記憶されている。
前記リモコンインターフェース回路９は，当該テレビジョン受像機Ｘの操作用のリモコン７（リモート操作器）から，赤外線伝送等の無線伝送によって前記リモコン７に対する操作入力情報を取得し，その操作入力情報を前記制御回路８に出力するものである。
例えば，チャンネル選択が行われる場合，前記リモコン７のチャンネル選択キーに対する操作入力の情報が，前記リモコンインターフェース回路９を通じて前記制御回路８に入力され，その操作入力情報に従って，前記制御回路８により，前記チューナ１ａ，１ｂ，１ｃのいずれかに対して選局するチャンネルが指定されるとともに，そのチャンネルの映像が前記モニタ画面２１に表示されるように前記映像切替回路３及び前記ＯＳＤ処理回路５が制御される。
同様に，音量調節が行われる場合，前記リモコン７の音量ボリューム調節キー（音量のアップキーとダウンキー）に対する操作入力情報に従って，前記制御回路８から前記アンプ２２に対して出力音量の調節指令が出力され，その指令に従って前記アンプ２２により前記スピーカ２３に対する出力音量が調節される。
【００１１】
前記音声切替回路１０は，前記チューナ１ａ，１ｂ，１ｃ各々からの音声信号及び前記外部入力部２からの音声信号が入力され，それらの音声信号のうちの任意の１つの音声信号を，前記制御回路８からの指示に従って前記音声処理回路１１に出力するものである。
前記音声処理回路１１は，前記制御回路８からの指示に従って，前記音声切替回路１０から出力された音声信号に対して各種信号処理を行うものである。例えば，前記スピーカ２３の特性に合わせたイコライズ処理や，サラウンド処理等を行う。
前記アンプ２２は，前記音声処理回路１１による処理後の音声信号を，前記制御回路８からの指示に従って増幅或いは減衰させる処理を行い，前記アンプ２２に出力するものである。
なお，テレビジョン受像機Ｘのうち，前記制御回路８及び前記ＯＳＤ処理回路５が，画像の表示手段であるモニタ画面２１を備えたテレビジョン受像機Ｘに対する複数の設定情報を，前記モニタ画面２１に表示させる機器設定情報表示制御装置として機能する部分である。
【００１２】
次に，図２及び図３に示す画面例と図４に示すフローチャートとを用いて，テレビジョン受像機Ｘに対する複数の設定情報を前記モニタ画面２１に一覧表示させる設定情報一覧表示処理について説明する。
ここで，図２は，設定情報一覧表示画面の一例を表した図，図３はその設定情報一覧表示画面において選択された設定情報が拡大表示された画面例を表した図である。
以下に示す前記制御回路８の処理は，前記ＭＰＵ８ａが前記ＲＯＭ８ｂに予め記憶された制御プログラムを実行することにより具現される。また，Ｓ１，Ｓ２，…は，前記制御回路８の処理手順（ステップ）の識別符号を表す。
前記制御回路８は，前記リモコン７に設けられた設定情報一覧キーの操作状況を監視し（Ｓ１），前記設定情報一覧キーが１回操作（１タッチ操作）されたことが，前記リモコンインターフェース回路９を通じて検知されると，それに応じて，前記ＯＳＤ処理回路５を制御することにより，図２に示すような設定情報一覧画面を前記モニタ画面２１のほぼ画面全体に渡って表示させる（Ｓ２，一覧表示制御手段の一例）。
図２に示すように，当該テレビジョン受像機Ｘにおける設定情報一覧画面は，当該テレビジョン受像機Ｘにおける映像や音声，チャンネル設定等の各種調整パラメータとして設定（調整）された全ての設定情報が前記モニタ画面２１のほぼ画面全体に渡って一覧表示されるものである。この一覧画面に表示される設定情報は，その設定値の確認のため，前記モニタ画面２１に表示させて確認すべき全ての情報である。
前記設定情報一覧画面では，前記設定情報各々を構成する情報名ｄ１（設定情報の識別情報を表す）と設定値ｄ２とが対になって表示される。
ここで，前記設定情報ｄ１，ｄ２は，予め階層的に分類されており，前記制御回路８は，前記設定情報一覧画面において，図２に示すように前記設定情報各々をその階層的な分類に従ってツリー形式で前記モニタ画面２１に一覧表示させる。
図２に示す例では，前記設定情報全体は，「映像調整」に関する情報，「音声調整」に関する情報，「本体調整」に関する情報及び「機能切替」に関する情報に分類され，さらに，「本体調整」に関する情報は，「チャンネル設定」に関する情報，「入力表示選択」に関する情報，「位置調整」に関する情報等に階層的に分類されている。なお，図２における網掛け部ｄ３，ｄ４は分類項目を表し，最上位の階層の分類項目ｄ３よりも下位の階層の各分類項目ｄ４に属する設定情報については，矢印線により階層構造が表されたツリー形式で各設定情報（ｄ１＋ｄ２）が表示される。
さらに，前記設定情報一覧画面においては，前記設定情報各々について，その設定内容が対応する前記基準値と同じものと異なるものとで表示態様が異なるように表示される。もちろん，対応する前記基準値が記憶されていない場合には，そのような表示態様の変化は生じない。
図２及び図３に示す例では，「色の濃さ」や「色あい」の設定値「＋５」，「−５」が，基準値「０」に対して変更されているため，他の前記設定情報の表示に対し反転した表示とされている例を表す。
【００１３】
ここで，前記設定情報一覧画面の表示処理についてより具体的に説明する。
前記制御回路８におけるＥＥＰＲＯＭ８ｃには前記設定情報の設定値ｄ２が，前記ＲＯＭ８ｂには前記設定情報の情報名ｄ１及び前記分類項目ｄ４並びに前記基準値ｄ６と，画面上における前記設定情報ｄ１，ｄ２及び分類項目ｄ４等の表示位置（座標）情報が各々記憶されている。
前記制御回路８により前記リモコン７の設定情報一覧キーの操作が検知されると，それらの記憶情報が前記制御回路８から前記ＯＳＤ処理回路５に引き渡され，前記ＯＳＤ処理回路５は，前記制御回路８から取得した前記設定情報ｄ１，ｄ２等とそれらの座標情報に基づいて，前記設定情報一覧画面を表示させるための映像信号を生成して前記モニタ画面２１にその映像画面を表示させる。
また，前記制御回路８は，映像信号の生成の際，表示させる記設定情報ｄ１，ｄ２ごとに，その各々に対応付けられて前記ＥＥＰＲＯＭ８ｃに記憶された変更フラグの内容（ＯＮかＯＦＦか）をチェックし（Ｓ２−１），その変更フラグがＯＮである前記設定情報ｄ１，ｄ２についてのみ強調表示させる設定を行う（Ｓ２−２）一方，その他のものについては通常表示をさせる設定を行う（Ｓ２−３）。さらに，全ての前記設定情報ｄ１，ｄ２について強調表示か否か（表示態様）の設定が完了（Ｓ２−４）した後に，その設定に従った映像信号を生成して画面出力させる（Ｓ２−５）。前記変更フラグは，前記設定情報各々についてその設定値ｄ２（設定内容）が対応する前記基準値と同じもの（ＯＦＦ）か異なるもの（ＯＦＦ）かを表す情報であり，後述するステップＳ８−２〜Ｓ８−４の処理により設定される情報である。なお，対応する前記基準値が存在しない場合は，前記変更フラグはＯＦＦであるとして処理される。
この制御回路８の処理（Ｓ２−１〜Ｓ２−４）により，前記設定情報各々について，その設定内容が対応する前記基準値と同じものと異なるものと一覧表示させる際の表示態様が異なるものとなる（表示態様制御手段の一例）。
その結果，前記設定情報各々の設定値ｄ２が予め定められた基準値から変更されているか否かを容易に確認できる。
強調表示の態様については，点滅表示や色替え表示，網掛け表示，反転表示等が考えられる。前述したように，図２及び図３に示す例は，反転表示の例（「色の濃さ」の設定値等）である。
また，前記変更フラグを用いることなく，例えば，ステップＳ２−１において，現状の設定値ｄ２各々が対応する前記基準値と同一であるか否かを判別し，その判別結果に従って強調表示させるか通常表示させるかを設定する構成等も考えられる。
【００１４】
さらに，前記制御回路８は，前記設定情報一覧画面上に矢印マーク等のカーソルｋ１を表示させ，前記リモコン７に対する操作入力に従って，前記モニタ画面２１（表示手段）に一覧表示された前記設定情報のいずれかを選択する処理を実行する（設定情報選択手段の一例）。
より具体的には，前記制御回路８は，前記ＯＳＤ処理回路５を制御することにより，前記設定情報一覧画面に，矢印マーク等のカーソルｋ１を表示させる（Ｓ２）。
さらに，前記制御回路８，前記リモコン７に設けられた上下左右の４つの方向キーのいずれかの操作入力（即ち，カーソル移動操作）がなされているか否かを監視し（Ｓ３），カーソル移動操作がなされていることを検知すると，その検知がなされている間，検知されている方向キーに対応した方向（上下左右）に前記カーソルｋ１の表示位置を所定速度で移動させる（Ｓ４）。
さらに，前記制御回路８は，前記カーソルｋ１の表示位置（矢印マーク先端部の表示位置）が，前記設定情報ｄ１，ｄ２の表示位置（表示領域）と重なった否かを監視し（Ｓ５），重なったことが検知された場合，その重なった位置に表示されている前記設定情報ｄ１，ｄ２が選択されたものと判別する（Ｓ５のＹ）。
そして，前記制御回路８は，図３に示すように，選択された（と判別した）前記設定情報ｄ１，ｄ２に対応する説明情報ｄ５を前記設定情報一覧画面内に表示させる（即ち，前記モニタ画面２１（表示手段）に表示させる，説明情報出力手段の一例）とともに，選択された前記設定情報ｄ１，ｄ２を前記設定情報一覧画面内における拡大表示欄ｋ２に拡大表示させる（強調表示制御手段の一例）（Ｓ６）。
これにより，一覧表示された複数の前記設定情報ｄ１，ｄ２の中から特に注視したいものをよりわかりやすく，かつより見やすくできる。
ここで，前記説明情報ｄ５は，前記設定情報各々に対応付けられて前記ＲＯＭ８ｂ又は前記ＥＥＰＲＯＭ８ｃに予め記憶されている。
なお，選択された前記設定情報ｄ１，ｄ２の強調表示の方法としては，上述のように拡大表示させる他，ハイライト表示や色替え表示等によって強調表示させること等も考えられる。
また，前記説明情報ｄ５は，前記モニタ画面２１への出力（表示）の他，前記音声処理回路１１及び前記スピーカ２３（音声出力手段の一例）を通じて音声として出力することも考えられる。
【００１５】
また，前記制御回路８は，一覧表示された前記設定情報ｄ１，ｄ２の中のいずれかが選択された状態（カーソルｋ１の表示位置と設定情報ｄ１，ｄ２の表示位置とが重なった状態）で，前記リモコン７に設けられた決定キーの操作等，所定の選択確定操作がなされたか否かを監視し（Ｓ７），選択確定操作がなされたことを前記リモコンインターフェース回路９を通じて検知すると（Ｓ７のＹ），選択された前記設定情報ｄ１，ｄ２（即ち，拡大表示された設定情報ｄ１，ｄ２）の設定値ｄ２を操作入力に従って設定（調整）する調整モードに移行する（Ｓ８）。
この調整モードでは，前記制御回路８は，前記リモコン７に設けられた左右の方向キーの操作がなされたことが検知されるごとに，選択された前記設定情報について予め定められた複数の設定値の候補の中から，仮の設定値１つを所定の順番で順次選択し，その仮の設定値を前記拡大表示欄ｋ２に表示させる。さらに，その仮の設定値が選択された状態で，前記リモコン７に設けられた決定キーの操作等，所定の設定確定操作がなされたことを前記リモコンインターフェース回路９を通じて検知すると，そのときの仮の設定値を新たな設定値として前記ＥＥＰＲＯＭ８ｃに記憶された前記設定情報を更新し（Ｓ８），前記調整モードの状態を解除する。これにより，その後の前記設定情報一覧表示画面における前記設定値ｄ２は，更新後の値が表示される。
このように，前記設定情報一覧表示画面において拡大表示された前記設定情報ｄ１，ｄ２を参照しながらその設定値の調整（設定）が可能である。
また，前記制御回路８は，前記設定情報の更新処理（Ｓ８）において，前記設定情報の更新（Ｓ８−１）を行った後，更新後の設定値ｄ２が対応する前記基準値と同じであるか否かを判別し（Ｓ８−２），同じであれば前記変更フラグをＯＦＦに設定する一方，そうでなければ前記変更フラグをＯＮに設定する。これにより，前記変更フラグは，前記設定情報各々についてその設定値ｄ２（設定内容）が前記基準値と同じもの（ＯＦＦ）か異なるもの（ＯＦＦ）かを表す情報となる。
【００１６】
さらに，前記制御回路８は，前記設定情報一覧キーの再度の操作がなされたか否かを監視し（Ｓ９），再度の前記設定情報一覧キーの操作（設定情報一覧の終了操作を表す）が検知されるまで以上示したＳ２〜Ｓ８の処理を順次繰り返すことにより，前記設定情報の一覧表示処理及び前記設定情報の更新（設定）処理が継続される。
一方，前記制御回路８は，再度の前記設定情報一覧キーの操作を検知した場合，前記設定情報一覧表示を解除してチューナ１ａ，１ｂ，１ｃからの映像信号（元の映像信号）を前記モニタ画面２１に表示させ（Ｓ１０），その後，処理をステップＳ１に移行させて前述した処理を繰り返す。
以上示した処理により，目的とする前記設定情報ｄ１，ｄ２を表示させるために階層的な分類項目を順次辿る（選択する）必要がなく，前記設定情報一覧キーをワンタッチするというごく簡易な操作で即座に全ての前記設定情報ｄ１，ｄ２を前記モニタ画面２１に一覧表示させることができる。
【産業上の利用可能性】
【００１７】
本発明は，テレビジョン受像機や計算機用のモニタ等に利用可能である。
【図面の簡単な説明】
【００１８】
【図１】本発明の実施形態に係る表示装置の一例であるテレビジョン受像機Ｘの概略構成を表すブロック図。
【図２】テレビジョン受像機Ｘにおける設定情報一覧表示画面の一例を表した図。
【図３】テレビジョン受像機Ｘにおける設定情報一覧表示画面において選択された設定情報が拡大表示された画面例を表した図。
【図４】テレビジョン受像機Ｘにおける設定情報一覧表示処理の手順を表すフローチャート。
【符号の説明】
【００１９】
Ｘ…テレビジョン受像機（表示装置）
１ａ，１ｂ，１ｃ…チューナ
２…外部入力部
３…映像切替回路
４…映像処理回路
５…ＯＳＤ処理回路
７…リモコン
８…制御回路
９…リモコンインターフェース回路
１０…音声切替回路
１１…音声処理回路
２１…モニタ画面
Ｓ１，Ｓ２，，，…ステップ（処理手順）
【図１】
2006252293.tif 000003
【図２】
2006252293.tif 000004
【図３】
2006252293.tif 000005
【図４】
2006252293.tif 000006